(57)【要約】【課題】冷温パターンを有した表示体を架け渡した形態で送る形態で、価格パターンを前記パターンと共に表示し、価格パターンの変更に際して表示体の送りを円滑に行う。【解決手段】冷温パターンを有した帯体からなる冷温情報表示体１９を駆動手段に架け渡した形態で送る。冷温情報表示体１９の前側には、透過板の一方の面に価格パターンを有した価格情報表示体４５を設ける。透過板は、他方の面が冷温情報表示体１９に重なって透過板を透過した冷温パターンと価格パターンとを共に表示する。すなわち、価格情報の変更時に透過板の一方の面に新たな価格パターンのシールを貼り付けても当該シールと冷温情報表示体１９とが非接触であり、シールが冷温情報表示体１９の送りを妨げることがない。【選択図】      図３
2004234360.tif 000002
【特許請求の範囲】
【請求項１】
自動販売機の庫内に収納した商品に係る第１情報をあらわす各第１パターンを有した帯体をなす第１表示体を備え、前記第１表示体を架け渡した形態として前記第１パターンが移動する態様で当該第１表示体を送る自動販売機の商品表示装置であって、
自動販売機の庫内に収納した商品に係る第２情報をあらわす第２パターンを有して前記第１表示体と別体に形成してなり、前記第１表示体に併設して前記第２パターンと前記第１パターンとを共に表示する第２表示体を備えたことを特徴とする自動販売機の商品表示装置。
【請求項２】
前記第２表示体は前記第１表示体の第１パターンを透過する透過板の一方の面に前記第２パターンを有してなり、当該透過板の他方の面を前記第１表示体に重ねて設けたことを特徴とする請求項１に記載の自動販売機の商品表示装置。
【請求項３】
前記第１表示体は前記第２表示体の第２パターンを透過する透過部を有し、前記第２表示体は前記第２パターンを変更可能とした表示部を有して当該第２パターンを前記透過部に透過したことを特徴とする請求項１に記載の自動販売機の商品表示装置。
【発明の詳細な説明】
【０００１】
【発明の属する技術分野】
本発明は、缶、瓶、ペットボトルなどの商品を庫内に保存して販売する自動販売機において、例えば、商品の冷温状態などを表示する自動販売機の商品表示装置に関するものである。
【０００２】
【従来の技術】
自動販売機の商品表示装置として、自動販売機に収納した商品の冷蔵・温蔵状態に合わせて商品に係る情報である冷温表示を行うものが知られている。この種の商品表示装置は、無端状に形成したフィルムからなる表示部材を備えている。表示部材は、その周方向の一部に冷状態を表示する冷表示部が設けてあり、周方向の他の部分には温状態を表示する温表示部が設けてある。また、表示部材における各表示部の一側方には、それぞれ商品の価格を表示する価格表示部が設けてある。この表示部材は、支持ピンあるいはローラで周方向に回動可能に支持してある。そして、表示部材は、周方向への回動により冷表示部および価格表示部を前面側に臨ませ、あるいは温表示部および価格表示部を前面側に臨ませる（例えば、特許文献１参照）。
【０００３】
【特許文献１】
特開２００１−１２６１２８号公報
【０００４】
【発明が解決しようとする課題】
従来の商品表示装置では、表示部材が冷表示部や温表示部とともに価格表示部を設けてなる。一般に各表示部は、フィルムに印刷によって設けてある。冷表示部や温表示部などの表示内容は、自動販売機に収容した商品の冷蔵・温蔵状態を表示し、かつ、これを切り替えるためのものであり不変である。しかしながら、価格表示部は、商品の価格であって変更が予測される。そして、表示部材を自動販売機に設置した当初の価格から価格の変更があった場合には、価格表示部の前面側にシールなどを貼り付けて新たな価格表示部を設けて対応している。
【０００５】
このように価格表示部に変更があった場合、冷温表示の切り替えを行うと、シールで貼り付けた価格表示部の厚みや段差が表示部材の回動送りの妨げになって当該表示部材の回動送りを円滑に行うことが困難になる。特に、シール全体あるいは一部が剥がれた場合には、価格表示ができなくなるとともに、シールの剥がれた部分が表示部材の回動送りの軌跡上に張り付いて表示部材の回動送りができなくなることがある。
【０００６】
本発明は、上記実情に鑑みて、商品情報をあらわすパターンを有した表示体を架け渡した形態で送る形態で、変更が予測される他の商品情報のパターンを共に表示し、当該他の商品情報の変更に際して表示体の送りを円滑に行うことができる自動販売機の商品表示装置を提供することを目的とする。
【０００７】
【課題を解決するための手段】
上記の目的を達成するために、本発明の請求項１に係る自動販売機の商品表示装置は、自動販売機の庫内に収納した商品に係る第１情報をあらわす各第１パターンを有した帯体をなす第１表示体を備え、前記第１表示体を架け渡した形態として前記第１パターンが移動する態様で当該第１表示体を送る自動販売機の商品表示装置であって、自動販売機の庫内に収納した商品に係る第２情報をあらわす第２パターンを有して前記第１表示体と別体に形成してなり、前記第１表示体に併設して前記第２パターンと前記第１パターンとを共に表示する第２表示体を備えたことを特徴とする。
【０００８】
また、本発明の請求項２に係る自動販売機の商品表示装置は、上記請求項１において、前記第２表示体は前記第１表示体の第１パターンを透過する透過板の一方の面に前記第２パターンを有してなり、当該透過板の他方の面を前記第１表示体に重ねて設けたことを特徴とする。
【０００９】
また、本発明の請求項３に係る自動販売機の商品表示装置は、上記請求項１において、前記第１表示体は前記第２表示体の第２パターンを透過する透過部を有し、前記第２表示体は前記第２パターンを変更可能とした表示部を有して当該第２パターンを前記透過部に透過したことを特徴とする。
【００１０】
【発明の実施の形態】
以下に添付図面を参照して、本発明に係る自動販売機の商品表示装置の好適な実施の形態を詳細に説明する。図１は本実施の形態における商品表示装置を備える自動販売機の斜視図である。
【００１１】
図１に示すように、本実施の形態における商品表示装置を備える自動販売機は、本体キャビネット１と外扉２とから主に構成してある。本体キャビネット１は、前面が開放した断熱筐体として形成してある。本体キャビネット１の開放部分は、断熱性の内扉３によって開閉可能としてある。また、図には明示しないが本体キャビネット１の庫内は、断熱性の仕切壁により左右に複数の商品収納室として区分してある。各商品収納室には、例えば、缶、瓶、ペットボトルなどの商品を収納した商品ラックが設けてある。また、各商品収納室の下部には、当該各商品収納室を冷却もしくは加熱して商品ラックに収納した商品を冷蔵・温蔵状態に保存する冷却／加熱ユニットが備えてある。
【００１２】
外扉２は、本体キャビネット１の前面に開閉可能に取り付けてある。外扉２の上部域には、前面が透明板４で覆われたディスプレイ室５が形成してある。また、外扉２の後面には、ディスプレイ室５を開閉可能とする中扉６が形成してある。中扉６の前面であってディスプレイ室５の内側となる部位には、商品表示装置を構成するディスプレイ台７が取り付けてある。ディスプレイ台７は、本体キャビネット１の庫内に収納した商品に対応した複数（本実施の形態では１２個）の商品見本８を左右に一列に並べて載置してある。ディスプレイ台７は、外扉２を中扉６と一体にして、本体キャビネット１に対して閉じた際に、自動販売機の前面から商品見本８とともに透明板４を介して透視できる。なお、図１に示すように、本実施の形態でのディスプレイ台７は、上下方向に複数段（本実施の形態では３段）設けてある。また、透明板４には、各ディスプレイ台７の下方となる位置に商品選択ボタンユニット９が設けてある。商品選択ボタンユニット９は、外扉２の前面に表出し、ディスプレイ台７にある各商品見本８に対応して左右に一列に並べて設けた商品選択ボタン９ａを有している（図３参照）。なお、商品選択ボタンユニット９の下側のディスプレイ室５には、商品広告部１０がある。その他外扉２の前面には、硬貨投入部１１ａの投入口、紙幣投入部１１ｂの投入口、釣銭返却部１１ｃの返却口、商品取出部１１ｄの取出口などや、図示しないが金銭返却レバーおよびロック付ハンドルなど周知の構成が設けてある。
【００１３】
図２（ａ）はディスプレイ台を示す平面図、図２（ｂ）はディスプレイ台を示す正面図、図３は図２（ｂ）のＡ−Ａ線端面拡大図である。ディスプレイ台７は、前面部７ａ、上面部７ｂおよび後面部７ｃを有して下方が開放する断面略コ字形をなし、自動販売機の左右方向に延在して形成してある。このように、ディスプレイ台７は、下方が開放する横長の箱形に形成してある。
【００１４】
図２（ａ）に示すように、ディスプレイ台７の上面部７ｂには、係止穴１５が形成してある。係止穴１５は、上面部７ｂの左右方向に複数（本実施の形態では１２個）並設してあり、それぞれ商品見本８を立設した態様で挿通係止する。また、図２（ｂ）に示すように、前面部７ａには、各係止穴１５の前方位置に対応するように配した複数（本実施の形態では１２個）の透光穴１６が設けてある。また、図３に示すように、後面部７ｃには、切り起こしにより形成した複数（本実施の形態では２個）の係止片１７が設けてある。係止片１７は、その先端が後面部７ｃの後側の下方に向けてあり、中扉６に設けた穴（図示せず）に挿通係止される。これにより、ディスプレイ台７が中扉６に取り付けられる。
【００１５】
また、図３に示すように、前面部７ａの下端には、前側に延設した水平部分および当該水平部分の前端を上向きにした折り曲げ部分からなり、ディスプレイ台７の左右方向に延在したガイド部４０ａが設けてある。また、後面部７ｃの下側には、後面部７ｃの前側に延設した水平部分および当該水平部分の前端を上向きにした折り曲げ部分からなり、ディスプレイ台７の左右方向に延在したガイド部４０ｂが設けてある。
【００１６】
また、図２および図３に示すように、前面部７ａ、上面部７ｂおよび後面部７ｃに囲まれたディスプレイ台７の箱内には、左右方向に沿って蛍光灯１８（図中一点鎖線で示す）が設けてある。蛍光灯１８は、ディスプレイ台７の箱内に固定した、左右一対の各ソケット（図示せず）に装着してある。
【００１７】
ディスプレイ台７には、第１表示体としての冷温情報表示体１９が設けてある。図４は冷温情報表示体を示す斜視図である。図４に示すように、冷温情報表示体１９は、透光性フィルムからなる帯体を無端状にしてある。冷温情報表示体１９の外面には、その周方向に沿って自動販売機の商品収納室（図示せず）に収納した商品に係る第１情報としての冷蔵・温蔵状態をあらわす態様で、第１パターンとしての冷温パターン１９ｄが施してある。本実施の形態において、商品の冷蔵状態をあらわす冷温パターン１９ｄは、１パターンの単位として白抜きの文字（例えば「つめた〜い」）の背景に寒色の背景色（例えば青色）が印刷してある。また、商品の温蔵状態をあらわす冷温パターン１９ｄは、１パターンの単位として白抜きの文字（例えば「あったか〜い」）の背景に暖色の背景色（例えば赤色）が印刷してある。なお、本実施の形態では、冷温状態をあらわす複数の冷温パターン１９ｄと、温蔵状態をあらわす複数の冷温パターン１９ｄとが図４中二点鎖線で示す境目１９ｃを境にして無端状とした帯体の周方向の略半周分ずつ施してある。
【００１８】
また、図４に示すように、冷温情報表示体１９の帯状の下端縁には、周方向に沿って一定間隔をおいて穿孔した複数の穴部１９ａが設けてある。また、穴部１９ａの一部は、長穴として穿孔した検出用穴部１９ｂをなしている。本実施の形態での検出用穴部１９ｂは、隣接する２つの穴部１９ａを繋げて穿孔してなる。
【００１９】
図２および図３に示すように、冷温情報表示体１９は、ディスプレイ台７の前面部７ａの前側および後面部７ｃの前側を通るようにディスプレイ台７の左右端で折り返して配してある。冷温情報表示体１９は、前面部７ａに設けたガイド部４０ａに、その下端が支持される。また、冷温情報表示体１９は、上面部７ｂの下面と後面部７ｃに設けたガイド部４０ｂとの間に、その上端と下端とが支持される。そして、前面部７ａの前側を通る略半周分の冷温情報表示体１９の各冷温パターン１９ｄは、前面部７ａに設けた各透光穴１６の位置に対応する。これにより、冷温情報表示体１９の冷温パターン１９ｄは、ディスプレイ台７の係止穴１５に立設した各商品見本８に対応して、各商品見本８の商品の冷蔵・温蔵状態をあらわすことになる。この際、ディスプレイ台７の箱内にある蛍光灯１８の光が透光穴１６を介して透光性フィルムからなる冷温情報表示体１９を透過することで冷温パターン１９ｄの文字および背景色が明るく表示される。
【００２０】
なお、上述したように、冷温情報表示体１９の冷温パターン１９ｄは、冷温状態をあらわす冷温パターン１９ｄと、温蔵状態をあらわす冷温パターン１９ｄとが無端状とした帯体の周方向の略半分ずつに施してある。このため、前面部７ａの前側を通る略半周分の冷温情報表示体１９は、各商品見本８に対応する全て（１２個）が冷蔵状態の冷温パターン１９ｄが位置する形態と、全て（１２個）が温蔵状態の冷温パターン１９ｄが位置する形態と、前面部７ａの前側に冷蔵状態の冷温パターン１９ｄと温蔵状態の冷温パターン１９ｄとの境目１９ｃの１つが位置して一側が冷蔵状態の冷温パターン１９ｄで他側が温蔵状態の冷温パターン１９ｄとなる形態とを得ることができる。
【００２１】
さらに、ディスプレイ台７には、第２表示体としての価格情報表示体４５が設けてある。図５は価格情報表示体を示す正面図である。価格情報表示体４５は、前面部７ａの左右方向に沿うように横長に形成してある。価格情報表示体４５は、透過板からなり、その前面（一方の面）に商品の第２情報としての価格情報をあらわす態様で、第２パターンとしての価格パターン４５ａ（例えば「￥１２０」の文字）が印刷してある。この価格パターン４５ａは、その左右方向にディスプレイ台７に載置した商品見本８に対応するように複数（本実施の形態では１２個）設けてある。なお、図５に示すように、本実施の形態での価格情報表示体４５の前面（一方の面）には、価格パターン４５ａの「￥１２０」の文字の左右両側に縦線からなる区画パターン４５ｂが印刷してある。この区画パターン４５ｂは、価格情報表示体４５をなす透過板の面を左右複数（本実施の形態では１２個）に区画する。さらに、区画パターン４５ｂで囲まれて価格パターン４５ａを有する透明領域は、ディスプレイ台７の前面部７ａに設けた各透光穴１６に重なる。
【００２２】
図３に示すように、上記価格情報表示体４５は、ディスプレイ台７における前面部７ａのガイド部４０ａに下端が挿通係止して当該ディスプレイ台７に取り付けてある。そして、価格情報表示体４５は、その後面（他方の面）が冷温情報表示体１９の前面に重なり、前面部７ａの前側にある当該冷温情報表示体１９を覆う態様で併設してなる。また、価格情報表示体４５は、区画パターン４５ｂにより囲まれた透明領域を前面部７ａの各透光穴１６に重ねる。これにより、価格情報表示体４５は、ディスプレイ台７の前面部７ａに設けた各透光穴１６の位置に対応した冷温情報表示体１９の冷温パターン１９ｄを透過するとともに、その冷温パターン１９ｄの例えば下位置に価格パターン４５ａをあらわす。
【００２３】
ディスプレイ台７には、駆動手段２０が設けてある。駆動手段２０は、駆動部２０Ａと従動部２０Ｂとからなり、これら駆動部２０Ａと従動部２０Ｂとがディスプレイ台７の左右端にそれぞれ配してある。
【００２４】
図６（ａ）は駆動部を示す平面図、図６（ｂ）は駆動部を示す正面図、図６（ｃ）は駆動部を示す左側面図である。駆動部２０Ａは、本実施の形態ではディスプレイ台７の左端に配してある（図２参照）。図６（ａ）〜（ｃ）に示すように、駆動部２０Ａは、上下に分割形成したカバー２１ａおよびケース２１ｂを基部としている。カバー２１ａは駆動部２０Ａの上部ボディをなし、ケース２１ｂは駆動部２０Ａの下部ボディをなして、これらカバー２１ａおよびケース２１ｂを一体とした形態でディスプレイ台７に固定してある。駆動部２０Ａは、上記カバー２１ａおよびケース２１ｂに対して、主にモータ２２と、駆動体としての駆動プーリ２３と、支持プーリ２４とを設けてなる。
【００２５】
モータ２２は、ケース２１ｂに固定した基板２５に対し、その出力軸２２ａを下方に向けて取り付けてある。また、基板２５には、モータ２２の出力軸２２ａと平行にした駆動軸２６が回動可能に支持してある。また、モータ２２の出力軸２２ａと駆動軸２６とは、基板２５に設けた減速歯車機構２７（図６中一点鎖線で示す）を介して互いに連結してある。
【００２６】
駆動プーリ２３は、円柱状の胴部２３ａの中心に中心軸２３ｂが一体に設けてある。中心軸２３ｂの軸心には、係合穴２３ｃが設けてある。係合穴２３ｃは、駆動軸２６に挿通され、かつ、駆動軸２６に設けたＤカット部２６ａに係合するように略Ｄ字形の穴部を有している。また、駆動プーリ２３の中心軸２３ｂの上端は、ケース２１ｂに一体にしたカバー２１ａ側に支持してある。すなわち、モータ２２の駆動によって減速歯車機構２７を介して駆動軸２６が回動し駆動プーリ２３が回動する。また、駆動プーリ２３の胴部２３ａの下端縁には、周方向に沿って一定間隔をおいて突出した複数の突起部２３ｄが設けてある。さらに、駆動プーリ２３の中心軸２３ｂの下端には、検出片２３ｅが径外方向に延設してある。
【００２７】
支持プーリ２４は、駆動プーリ２３と平行になるように円柱棒状の上端をカバー２１ａに、下端をケース２１ｂに回動可能に支持してある。この支持プーリ２４は、駆動プーリ２３の胴部２３ａよりも細径をなし、モータ２２の外側部分に設けてある。なお、本実施の形態では、支持プーリ２４はモータ２２の外側部の２箇所に並設してある。
【００２８】
図７（ａ）は従動部を示す平面図、図７（ｂ）は従動部を示す正面図、図７（ｃ）は従動部を示す右側面図である。従動部２０Ｂは、本実施の形態ではディスプレイ台７の右端に配してある（図２参照）。図７（ａ）〜（ｃ）に示すように、従動部２０Ｂは、ディスプレイ台７に固定した支持体２８を基部としている。支持体２８は、上下水平板２８ａと、各上下水平板２８ａを連結する垂直板２８ｂとにより、正面視（図７（ｂ）参照）で右側に開放する略コ字形をなすように形成してある。従動部２０Ｂは、上記支持体２８に対して主に従動プーリ２９と、テンション機構３０とを設けてなる。
【００２９】
従動プーリ２９は、円柱状の胴部２９ａの中心に中心軸２９ｂが設けてある。胴部２９ａは中心軸２９ｂに対して回動可能としてある。従動プーリ２９は、本実施の形態では一対設けてある。各従動プーリ２９は、それぞれ中心軸２９ｂの上端を上水平板２８ａ側に、下端を下水平板２８ａ側に支持してある。上下水平板２８ａには、各中心軸２９ｂの端部をそれぞれ挿通支持する長穴３１が設けてある。各長穴３１は、左右方向に各々平行に延在してあり、従動プーリ２９を左右方向に移動可能にして支持している。また、上下水平板２８ａには、それぞれ支持板３２が重ねて設けてある。各支持板３２には、それぞれ各従動プーリ２９の中心軸２９ｂの上端および下端が取り付けてあり、各中心軸２９ｂを平行にして支持してある。これにより、一対の従動プーリ２９は、各支持板３２によって互いに平行な関係が維持され、かつ、上下水平板２８ａの長穴３１によって左右方向に移動可能とされる。
【００３０】
テンション機構３０は、上下水平板２８ａの右端縁を折り曲げ形成した立片２８ｃと、各支持板３２の左端縁を折り曲げ形成した立片３２ａとの間にそれぞれ架設した引張りコイルバネからなる。テンション機構３０は、各従動プーリ２９の中心軸２９ｂの上端および下端を常に右方向に引張り付勢する。
【００３１】
上記駆動手段２０には、冷温情報表示体１９が架け渡して装着してある。図６に示すように、駆動部２０Ａ側には、冷温情報表示体１９の左端の折り返し部分が巻装してある。冷温情報表示体１９は、ディスプレイ台７の左側端において駆動プーリ２３の胴部２３ａの外周面および各支持プーリ２４の外周面に接触する態様で巻装してある。この際、冷温情報表示体１９の穴部１９ａ（および検出用穴部１９ｂ）が、駆動プーリ２３の突起部２３ｄに対して係合する。
【００３２】
また、図７に示すように、従動部２０Ｂには、冷温情報表示体１９の右側の折り返し部分が巻装してある。冷温情報表示体１９は、ディスプレイ台７の右側端において各従動プーリ２９の外周面に接触する態様で巻装してある。このように、駆動部２０Ａおよび従動部２０Ｂに巻装した冷温情報表示体１９には、テンション機構３０の引張り力が加わる。これにより、冷温情報表示体１９全体に弛みがなく、かつ、駆動部２０Ａ側において突起部２３ｄと、穴部１９ａ（および検出用穴部１９ｂ）との係合が適宜維持される。
【００３３】
そして、モータ２２の駆動に際し、駆動プーリ２３の回動が冷温情報表示体１９に伝達されて、当該冷温情報表示体１９が駆動プーリ２３の廻りに従って周回する。すなわち、冷温情報表示体１９の冷温パターン１９ｄが周回送り方向に移動し、商品の商品見本８に対応した冷温情報表示体１９の冷温パターン１９ｄが切り替えられることになる。
【００３４】
上述のごとく、駆動手段２０によって周回する冷温情報表示体１９の各冷温パターン１９ｄの送り位置は、検出手段によって検出する。検出手段は、本実施の形態では、駆動部２０Ａに配置した基準位置検出部３５と回転検出部３６とからなる。
【００３５】
図６に示すように、基準位置検出部３５は、本実施の形態ではマイクロスイッチをなし、駆動部２０Ａのケース２１ｂに設けてある。この基準位置検出部３５は、そのアクチュエータ３５ａを冷温情報表示体１９の検出用穴部１９ｂにのみ係合する。これにより、冷温情報表示体１９の周回送りの基準位置を検出する。
【００３６】
また、回転検出部３６は、本実施の形態ではマイクロスイッチをなし、駆動部２０Ａのケース２１ｂに設けてある。この回転検出部３６は、そのアクチュエータ３６ａを駆動プーリ２３の検出片２３ｅに係合する。これにより、回転検出部３６は、駆動プーリ２３の１回転を検出する。なお、本実施の形態では、駆動プーリ２３の回転数が冷温パターン１９ｄの１パターンを移動させる送り量に対応してある。例えば、駆動プーリ２３の１回転が冷温パターン１９ｄの１パターンを移動させる送り量に対応してあれば、回転検出部３６が駆動プーリ２３の１回転を検出すれば冷温情報表示体１９が１パターン分の送り量移動したことになる。
【００３７】
また、基準位置検出部３５が冷温情報表示体１９の基準位置を検出した基準位置信号、および回転検出部３６が駆動プーリ２３の１回転を検出した回転信号は、後述の制御手段５０に出力している。
【００３８】
ところで、上述した商品表示装置は、自動販売機の各商品ラックを冷蔵・温蔵状態に切り替えたとき、当該商品の商品見本に対応する冷温パターン１９ｄを自動的に切り替えるよう制御している。
【００３９】
図８の制御手段を示すブロック図に示すように、商品表示装置の制御手段５０には、自動販売機の庫内における各商品収納室に収納された商品の冷蔵状態もしくは温蔵状態を設定する冷温販売モードの設定信号が入力される。この設定信号は、外扉２の後面に設けた冷温販売モード設定スイッチ（図示せず）の切り替えや、自動販売機の外部のリモートコントローラ（図示せず）からの発信により入力できる。自動販売機の庫内における各商品収納室の冷却／加熱ユニットは、設定信号により制御され、設定信号が「ＣＯＬＤ」の場合には冷却ユニットが作動し、設定信号が「ＨＯＴ」の場合には加熱ユニットが作動する。また、制御手段５０には、駆動手段２０によって周回送りされた冷温情報表示体１９の基準位置を検出する基準位置検出部３５からの基準位置信号が入力される。さらに、制御手段５０には、冷温パターン１９ｄの１パターンの移動に起因する駆動プーリ２３の１回転を検出する回転検出部３６からの回転信号が入力される。
【００４０】
次に、図９の制御手段の動作を示すフローチャートを用いて制御手段５０の制御手順を説明するとともに、冷温情報表示体１９の冷温パターン１９ｄの切り替えについて説明する。
【００４１】
ステップＳ１において設定信号が入力されると、ステップＳ２〜ステップＳ４に進む。ステップＳ２では設定信号に基づいた商品の冷蔵状態もしくは温蔵状態を判別する。ステップＳ３ではディスプレイ台７に載置した商品見本８の商品の冷温状態を表示するため、設定信号に対応して冷温情報表示体１９の基準位置からの送り量（ここでは駆動プーリ２３の回転数）を演算する。ステップＳ４ではモータ２２を駆動して駆動プーリ２３を介して冷温情報表示体１９を周回送りする。この冷温情報表示体１９の周回により、ステップＳ５において基準位置検出部３５からの基準位置信号を検出すると、ステップＳ６に進んでモータ２２を停止する。次いで、ステップＳ７では再びモータ２２を駆動して駆動プーリ２３を介して冷温情報表示体１９を周回する。この冷温情報表示体１９の周回により、ステップＳ８においてステップＳ３で演算した冷温情報表示体１９の送り量に相当する回転検出部３６からの回転信号を検出すると、ステップＳ９に進んでモータ２２を停止する。これにより、冷温販売モードの設定信号により設定した商品の冷蔵状態もしくは温蔵状態に対応してディスプレイ台７の商品見本８の冷温状態が冷温情報表示体１９の冷温パターン１９ｄによって表示されることになる。
【００４２】
このように、駆動手段２０で冷温情報表示体１９を送って当該冷温情報表示体１９の冷温パターン１９ｄを移動する際、価格情報表示体４５は移動することなくディスプレイ台７のガイド部４０ａに係止してある。すなわち、冷温情報表示体１９と価格情報表示体４５とが別体になる。これにより、価格情報表示体４５に関らず冷温情報表示体１９の送りを行うことが可能となる。
【００４３】
また、商品の価格が変更して価格情報表示体４５の価格パターン４５ａを変える場合には、価格パターン４５ａの前面（一方の面）に新たな価格パターンを施したシールなどを重ねて貼る。このようにしたとき、価格情報表示体４５をなす透過板の前面（一方の面）にあるシールと、当該透過板の後面（他方の面）に重なる冷温情報表示体１９とが非接触であるため、冷温情報表示体１９を周回送りした際にシールの厚みや段差が当該冷温情報表示体１９の送りを妨げることがない。
また、シールなどにより施した価格パターン４５ａは、移動しない価格情報表示体４５の透過板の平らな前面に設けてあり、かつ、冷温情報表示体１９と非接触であるため容易に剥がれることがない。また、シールなどにより施した価格パターン４５ａが万一剥がれても、シールが冷温情報表示体１９と非接触であり当該シールの外れた部分が冷温情報表示体１９の周回送りの軌跡上にないので、シールの剥がれた部分が冷温情報表示体１９に張り付いて当該冷温情報表示体１９の周回送りができなくなる事態を防ぐことが可能である。
また、冷温情報表示体１９を周回送りする際、当該冷温情報表示体１９はディスプレイ台７の前面部７ａと価格情報表示体４５との間を通過する。これにより、価格情報表示体４５が冷温情報表示体１９の前後方向の移動を支持して案内するので、冷温情報表示体１９の安定した周回送りを行うことが可能となる。
【００４４】
したがって、上述した価格情報表示体４５によれば、変更が予測される価格情報を冷温情報と共に表示するとともに、価格情報の変更を行った場合でも冷温情報表示体１９の送りを円滑に行うことが可能である。
【００４５】
ところで、上述した実施の形態では、価格情報表示体４５の価格パターン４５ａと冷温情報表示体１９の冷温パターン１９ｄとを共に表示する形態として、冷温情報表示体１９の前側に透過板を係止し、この透過板に価格パターン４５ａを印刷（あるいはシールの貼り付け）であらわした構成である。その他、価格パターンと冷温パターン１９ｄとを共に表示する他の実施の形態を以下に説明する。
【００４６】
図１０は冷温パターンおよび価格パターンを表示する他の実施の形態を示す斜視図である。図１０に示すように、冷温情報表示体１９には、冷温パターン１９ｄに対応する部分（下位置）に透過部１９ｅが設けてある。価格情報表示体４５′は、冷温情報表示体１９の後面側に設けてあり、前面部７ａ、上面部７ｂおよび後面部７ｃに囲まれたディスプレイ台７の箱内に固定してある。
【００４７】
価格情報表示体４５′は、表示部４６を有している。表示部４６は、ＬＥＤ、液晶、蛍光表示管などからなり、価格情報をあらわす価格パターン４５ａ′が変更可能である。表示部４６は、例えば７セグメントによる３桁の数字０〜９９９の価格パターン４５ａ′を表示する（図１０では「１２０」と表示してある）。また、表示部４６は、例えば複数のドットを格子状に配置して価格パターン４５ａ′を表示するものであってもよい。そして、上記表示部４６で表示した価格パターン４５ａ′は、冷温情報表示体１９の後面側から透過部１９ｅに臨んで冷温情報表示体１９の冷温パターン１９ｄと共に表示される。
【００４８】
このように、価格情報表示体４５′の価格パターン４５ａ′を冷温情報表示体１９の透過部１９ｅに透過して冷温パターン１９ｄと価格パターン４５ａ′とを共に表示すれば、冷温情報表示体１９と価格情報表示体４５′とが別体になる。これにより、価格情報表示体４５′に関らず冷温情報表示体１９の送りを行うことが可能となる。
また、商品の価格が変更して価格情報表示体４５′の価格パターン４５ａ′を変える場合には表示部４６の表示を変更する。すなわち、価格情報の変更時にシールなどを貼り付ける必要がなく、冷温情報表示体１９の送りを妨げる要因をなくすことが可能となる。
【００４９】
したがって、上述した価格情報表示体４５′によれば、変更が予測される価格情報を冷温情報と共に表示するとともに、価格情報の変更を行った場合でも冷温情報表示体１９の送りを円滑に行うことが可能である。
【００５０】
なお、上述した全ての実施の形態では、モータ２２の駆動によって駆動プーリ２３を自動で駆動する駆動手段２０を有した構成をもとに説明している。その他、図には明示しないが、駆動プーリ２３を手動で駆動する駆動手段であっても上記効果を同様に得ることができる。
【００５１】
また、上述した全ての実施の形態では、冷温パターン１９ｄを有した帯体を無端状とした冷温情報表示体１９を駆動手段２０に架け渡した構成を例としているが、無端状でない冷温情報表示体１９を駆動手段２０に架け渡して送る構成であっても上記効果を同様に得ることができる。
【００５２】
【発明の効果】
以上説明したように、本発明の請求項１に係る自動販売機の商品表示装置によれば、第２表示体によって商品に係る第２情報をあらわす第２パターンを有した第２表示体を第１表示体と別体に形成し、当該第２表示体を第１表示体に併設して第２パターンと第１表示体の第１パターンとを共に表示する。すなわち、第１表示体と第２表示体とが別体なので第２表示体に関らず第１表示体の送りを行うことができる。
【００５３】
また、本発明の請求項２に係る自動販売機の商品表示装置によれば、透過板の一方の面に第２パターンを有して第２表示体をなし、この透過板の他方の面を第１表示体に重ねて設け、透過板の第２パターンと当該透過板を透過した第１パターンとを共に表示する。このため、第２情報を変更するため第２パターンの一方の面に新たな第２パターンのシールなどを貼り付けても当該シールと第１表示体とを非接触な状態にできる。すなわち、シールの厚みや段差が第１表示体の送りを妨げることがないので第１表示体の送りを円滑に行うことができる。また、第２表示体の他方の面により第１表示体を支持して案内するので第１表示体の安定した送りを行うことができる。
【００５４】
また、本発明の請求項３に係る自動販売機の商品表示装置によれば、表示部で表示した第２パターンを第１表示体の透過部に透過し、当該表示部によって第２パターンを変更可能にして表示する。すなわち、第２情報の変更時にシールなどを貼り付ける必要がなくなるので、第１表示体の送りを妨げる要因をなくすことができる。
【図面の簡単な説明】
【図１】本実施の形態における商品表示装置を備える自動販売機の斜視図である。
【図２】（ａ）はディスプレイ台を示す平面図、（ｂ）はディスプレイ台を示す正面図である。
【図３】図２（ｂ）のＡ−Ａ線端面拡大図である。
【図４】冷温情報表示体を示す斜視図である。
【図５】価格情報表示体を示す正面図である。
【図６】（ａ）は駆動部を示す平面図、（ｂ）は駆動部を示す正面図、（ｃ）は駆動部を示す左側面図である。
【図７】（ａ）は従動部を示す平面図、（ｂ）は従動部を示す正面図、（ｃ）は従動部を示す右側面図である。
【図８】制御手段を示すブロック図である。
【図９】制御手段の動作を示すフローチャートである。
【図１０】冷温パターンおよび価格パターンを表示する他の実施の形態を示す斜視図である。
【符号の説明】
１９    冷温情報表示体（第１表示体）
１９ａ    穴部
１９ｂ    検出用穴部
１９ｃ    境目
１９ｄ    冷温パターン（第２パターン）
１９ｅ    透過部
２０    駆動手段
２０Ａ    駆動部
２０Ｂ    従動部
２１ａ    カバー
２１ｂ    ケース
２２    モータ
２２ａ    出力軸
２３    駆動プーリ
２３ａ    胴部
２３ｂ    中心軸
２３ｃ    係合穴
２３ｄ    突起部
２３ｅ    検出片
２４    支持プーリ
２５    基板
２６    駆動軸
２６ａ    Ｄカット部
２７    減速歯車機構
２８    支持体
２８ａ    上水平板、下水平板
２８ｂ    垂直板
２８ｃ    立片
２９    従動プーリ
２９ａ    胴部
２９ｂ    中心軸
３０    テンション機構
３１    長穴
３２    支持板
３２ａ    立片
３５    基準位置検出部
３５ａ    アクチュエータ
３６    回転検出部
３６ａ    アクチュエータ
４０ａ、４０ｂ    ガイド部
４５、４５′    価格情報表示体（第２表示体）
４５ａ、４５ａ′    価格パターン（第２パターン）
４５ｂ    区画パターン
４６    表示部
【図１】
2004234360.tif 000003
【図２】
2004234360.tif 000004
【図３】
2004234360.tif 000005
【図４】
2004234360.tif 000006
【図５】
2004234360.tif 000007
【図６】
2004234360.tif 000008
【図７】
2004234360.tif 000009
【図８】
2004234360.tif 000010
【図９】
2004234360.tif 000011
【図１０】
2004234360.tif 000012